(57)【要約】      （修正有）【課題】細毛の集合体からなる飾り部を備えたボタン等の装身具を提供する。【解決手段】ボタン等の装身具１は、表面に細毛２０の密生する皮部３と、上部受け部５と上部受け部より小径であって上部受け部５の下面から下方に延びる突出部６を有する基体部２を備え、皮部３には糸などの線条部材２１を縫通した囲繞部２２を形成し、線状部材２１の緊締により囲繞部２２を絞り込むとともに皮部３で上部受け部５を覆い、上部受け部５の裏面側に絞り込まれた囲繞部２２の線状部材２１を固定し、上部受け部５の上面部に沿う細毛２０の集合体からなるほぼ円球、半円球などの湾曲状面を有する飾り部２６を形成した。またボタン等の装身具の製造方法は、表面に細毛２０の密生する皮部３と基体部２を備え、基体部２は上面部を有する上部受け部５と上部受け部５より小径とし、上部受け部５の下面から延びる突出部６を設けたボタン等の装身具１の製造方法。【選択図】図１
2006192230.tif 000002
【特許請求の範囲】
【請求項１】
表面に細毛の密生する皮部と、上部受け部と前記上部受け部より小径であって前記上部受け部の下面から下方に延びる突出部を有する基体部を備え、前記皮部には糸などの線条部材を縫通した囲繞部を形成し、前記線状部材の緊締により前記囲繞部を絞り込むとともに前記皮部で前記上部受け部を覆い、前記上部受け部の裏面側に絞り込まれた前記囲繞部の前記線状部材を固定し、前記上部受け部の上面部に沿う細毛の集合体からなるほぼ円球、半円球などの湾曲状面を有する飾り部を形成してなるボタン等の装身具。
【請求項２】
絞り込まれた前記皮部の囲繞部を前記上部受け部の裏面側の中心部に位置する突出部に対して保持した請求項１に記載のボタン等の装身具。
【請求項３】
絞り込まれた前記皮部の囲繞部を前記上部受け部の裏面側の中心部に位置する突出部の周面に当接状態で保持した請求項１に記載のボタン等の装身具。
【請求項４】
前記上面部は周縁に向かう下方への傾斜面、湾曲面、周縁部における反転面を有する請求項１に記載のボタン等の装身具。
【請求項５】
前記上部受け部と前記上部受け部を覆う皮部との間に保形部材を配設した請求項１に記載のボタン等の装身具。
【請求項６】
前記保形部材は係合部を介して前記上部受け部に装着される請求項５に記載のボタン等の装身具。
【請求項７】
前記保形部材に適宜な柔軟性を付与し、弾圧状態で前記皮部と当接する請求項５に記載のボタン等の装身具。
【請求項８】
前記突出部の下端を下部受け部に挿入するとともに、前記突出部の下端を前記下部受け部の受容部内でかしめて固定する請求項１に記載のボタン等の装身具。
【請求項９】
表面に細毛の密生する皮部と基体部を備え、前記基体部は上面部を有する上部受け部と前記上部受け部より小径とし、前記上部受け部の下面から延びる突出部を設けたボタン等の装身具の製造方法であって、前記皮部を一定の大きさに裁断する工程と、前記皮部において糸などの線条部材を縫通して囲繞部を形成する工程と、前記部受け部を前記皮部における前記囲繞部の内側に配置する工程と、前記線条部材を緊締して前記皮部で上部受け部を覆う工程と、前記縁状部材の緊締により前記囲繞部を絞り込むとともに前記囲繞部を前記上部受けの部の裏面側へ導く工程と、前記囲繞部の絞込みにより細毛の集合体からなるほぼ円球、半円球などの湾曲状面の飾り部を前記上部受け部の上面側に形成する工程と、前記線状部材の固定により絞り込まれた前記囲繞部を前記突出部に保持する工程からなるボタン等の装身具の製造方法。
【請求項１０】
表面に細毛の密生する皮部と基体部を備え、前記基体部は上面部を有する上部受け部と前記上部受け部より小径とし、前記上部受け部の下面から延びる突出部を設けたボタン等の装身具の製造方法であって、前記皮部を一定の大きさに裁断する工程と、前記皮部において糸などの線条部材を縫通して囲繞部を形成する工程と、前記部受け部を前記皮部における前記囲繞部の内側に配置する工程と、前記線条部材を緊締して前記皮部で上部受け部を覆う工程と、前記前記線状部材の緊締により前記囲繞部を絞り込むとともに前記囲繞部を前記上部受け部の裏面側へ導く工程と、前記囲繞部の絞込みにより前記上部受け部の上面部の全部又は一部に当接する前記皮部が前記上部受け部の上面部の表面形態に対応するとともに、細毛の集合体からなるほぼ円球、半円球などの湾曲状面の飾り部を前記皮部の表面側に形成する工程と、前記線状部材の固定により絞り込まれた前記囲繞部を前記突出部に保持する工程からなるボタン等の装身具の製造方法。
【発明の詳細な説明】
【技術分野】
【０００１】  本発明は動物の毛皮を用いた飾りボタン等の装身具及びその製造方法にかんする。
【背景技術】
【０００２】従来、動物の毛皮を用いた飾りボタン、その他のボタンなど種々の装身具が知られている。毛皮を構成する皮部と皮部に密生する細毛はともに柔軟性がある。そのため細毛の集合体からなる所定形状の飾りボタンなど形成することは容易でない。またこのような飾りボタンなどを備える飾り物（有装身具）を被服など所定の目的物に型崩れなく安定して取り付けるのが難しい。
【発明の開示】
【発明が解決しようとする課題】
【０００３】本発明が解決しようとする課題は、ミンクなどの柔軟性のある細毛の集合体からなる飾り部を有するボタンなどの装身具であって、自然な丸みと湾曲面を有する飾り部を備えたボタン等の装身具を提供する。またこのような飾り部を備えた装身具であって、飾り部を安定して保持し、飾り部の型崩れを防止するとともに被服など所定の目的物への取り付けが容易である装身具を提供する。さらにこのような飾り部が確実に形成されるボタン等の装身具の製造方法を提供する。
【課題を解決するための手段】
【０００４】  ボタン等の装身具は、表面に細毛の密生する皮部と、上部受け部と前記上部受け部より小径であって前記上部受け部の下面から下方に延びる突出部を有する基体部を備え、前記皮部には糸などの線条部材を縫通した囲繞部を形成し、前記線状部材の緊締により前記囲繞部を絞り込むとともに前記皮部で前記上部受け部を覆い、前記上部受け部の裏面側に絞り込まれた前記囲繞部の前記線状部材を固定し、前記上部受け部の上面部に沿う細毛の集合体からなるほぼ円球、半円球などの湾曲状面を有する飾り部を形成してなる。【０００５】ボタン等の装身具の製造方法は、表面に細毛の密生する皮部と基体部を備え、前記基体部は上面部を有する上部受け部と前記上部受け部より小径とし、前記上部受け部の下面から延びる突出部を設けたボタン等の装身具の製造方法であって、前記皮部を一定の大きさに裁断する工程と、前記皮部において糸などの線条部材を縫通して囲繞部を形成する工程と、前記部受け部を前記皮部における前記囲繞部の内側に配置する工程と、前記線条部材を緊締して前記皮部で上部受け部を覆う工程と、前記前記線状部材の緊締により前記囲繞部を絞り込むとともに前記囲繞部を前記上部受けの部の裏面側へ導く工程と、前記囲繞部の絞込みにより細毛の集合体からなるほぼ円球、半円球などの湾曲状面の飾り部を前記上部受け部の上面側に形成する工程と、前記線状部材の固定により絞り込まれた前記囲繞部を前記突出部に保持する工程からなる。
【発明の効果】
【０００６】ボタン等の装身具において飾り部は自然な丸みの湾曲面を備え、また全体が立体状の形の整ったものとなる。飾り部は安定して保持されるとともに飾り部の型崩れが防止される。また被服など所定の目的物に容易に取り付けをすることができる。さらにボタン等の装身具にかんする製造方法により、このようなボタン等を容易かつ確実に形成することができる。
【発明を実施するための最良の形態】
【０００７】本発明を実施するための最良の形態について添付の図面を参照して説明する。図１乃至４に示されるのは装身具であるボタンの１例であり、ミンクの毛皮を使用した飾りボタン１である。飾りボタンは通常の留め具（ボタン）としても使用できる。飾りボタン１は基体部２と皮部３を備え、基体部２は上部受け部５と、上部受け部５から下方に延びる突出部６を有する。上部受け部５、突出部６はともに金属製であるが合成樹脂製でもよく、材質の種類を問わない。また上部受け部５を軟質素材で形成してもよい。上部受け部５は上面部７の外形が円形である。上面部７の外形は円形や楕円形のように周縁を湾曲状としたものが好まいしが多角形でもよく、任意の形状とすることができる。【０００８】上部受け部の上面部７は周縁から中心部に向け隆起し全体的に凸状である（１、２、３、８参照）が、扁平状でもよい（図３、９参照）。また上面部７は中心部が凹陥し（図２、３、５、６，９参照）、また中心部に凸片９が形成されている（図７参照）。また上面部７において中心部が凹陥するとともに、突出部６に形成された貫通孔１０に連通している（図２、３、９参照）。上面部７には１個、複数の凸部、凹部を形成するなど種々に構成される。また上面部７は周縁に向かう下方への傾斜面あるいは湾曲面１１（図５、６、８、１０参照）、周縁部における反転面１２を有する（図６、９、１０参照）。【０００９】上部受け部５と皮部３との間には保形部材１３を配設することができる。保形部材１３は硬質素材で形成してもよいが、軟質素材（軟質合成樹脂やゴムなど）で形成したときは保形部材１３に適宜な柔軟性あるいは弾性が付与される。保形部材１３は上部受け部の上面部７の単に一部のみを被覆し（図６参照）、あるいはほぼ全体を被覆（図５、７、８）するように配置される。保形部材１３の厚み、大きさ、形状は適宜に選択できる。【００１０】保形部材１３は係合部を介して上部受け部５に装着することもできる。係合部の構成としては、例えば、上部受け部５の中心部の凹陥部１５に保形部材１３を装着して係合され（図６参照）、また中心部の凹陥部１５に保形部材の凸片１６を挿入して係合される（図５参照）。また凹陥部１５が突出部の貫通孔１０に連通し、下方に延びる凸片１６の下端部が突出部の貫通孔１０に挿着されている（図３、９参照）。さらに上部受け部５の突片９が保形部材１３の裏面側の凹陥部に係合している。係合部を介することにより保形部材１３は上部受け部５に安定して配置される。そして保形部材１３は上部受け部５に着脱可能に装着され、また固定状態で装着される。【００１１】上部受け部５の裏面からは突出部６が延びている。突出部６は上部受け部５の中心部に位置するのがよく、中心に貫通孔１０を有する管状（図１、２、３など参照）、または貫通孔を有しない円柱状である（図４、５、６など参照）。突出部６の形状、構造は任意である。突出部６はその最大径が上部受け部２の最小径より小さい（図１１など参照）。突出部３は通常は１個であるが、複数個、設けることも可能である。複数個の場合は、複数（例えば３個）の突出部６、６、６を集合した全体を実質上の突出部とみなしてその最大径を基準とする（図１２における点線参照）。【００１２】皮部３の表面に多数の細毛２０が密生し、細毛２０と皮部３はともに適宜な柔軟性がある。特に細毛、とりわけ和毛の場合は非常に柔らかく柔軟性が大きい。皮部３は一定の大きさ、形状に裁断されており、皮部３には糸などの線条部材２１を縫通した囲繞部２２が形成されている。線条部材２１は鎖状、帯状のものを含み、１本だけでなく複数本（図示せず）でもよい。皮部３および／または囲繞部２２の形状は上部受け部の上面部７の形状と同一とするのが好ましいが、同一でなくともよい。図１３に示されるのは、矩形の皮部３の周縁に沿い１本の糸２１を周回状に「ぐし縫い」した矩形の囲繞部２２が形成されている。また図１４に示されるのは円形の皮部３の周縁に沿い１本の糸２１を周回状に「ぐし縫い」して円形の囲繞部２２が形成されている。線条部材２１は細毛２０と同色に着色したものがよい。「ぐし縫い」された線条部材（糸）は一部が皮部３の表面側に露呈するが、皮部の表面に密生する細毛に隠れて通常は目視されない（図１０参照）。【００１３】絞り込まれた囲繞部２２は上部受け部５の裏面側に保持される。この場合、中心部に位置する突出部６に対して保持されるのが好ましい。中心部の突出部６を中心に絞り込むから、上部受け部５の裏面側における囲繞部２２の絞り込が容易である。さらに絞り込まれた皮部の囲繞部２２を突出部６の周面に当接状態で保持するのが好ましい（図１５参照）。これにより囲繞部２２の絞り込みが容易であるだけでなく、突出部６に安定して保持される。緊締された線条部材２１を突出部の周面の細溝２３において保持、固定すると、線条部材２１を含む囲繞部２２が突出部６に強固に保持される。いずれの場合も上部受け部５の裏面側に保持された皮部２２は基体部２から外れることがなく、安定して保持される。【００１４】線条部材２１は緊締状態で固定されている。線条部材２１の固定手段としては、例えば、縫通された線状部材（糸）２１の両端側２１ａ、２１ｂを互いに引き寄せて緊締して囲繞部２２を絞り込み、線条部材（糸）２１の両端側２１ａ、２１ｂによりを結び目（図示せず）を作り両端側を連結する（図１４参照、但し同図ではまだ両端側が連結されていない）。また縫通された線条部材（糸）２１の一端側に線条部材より太い「こぶ」２１ｃを作る一方、この「こぶ」２１ｃを基点として線条部材（糸）の他端側２１ｄを引いて緊締し、さらにこの他端側に他の「こぶ」（図示せず）を作り固定する（図１３参照、但し同図ではまだ他端側に他の「こぶ」は作られていない）。しかし線条部材の固定の手段に限定はない。【００１５】上部受け部の上面部７には細毛２０の集合体からなる飾り部２６が形成されている。飾り部２６は立体状であり、全体がほぼ円球、半円球などの湾曲状面を有する。すなわち、皮部３の裏面に上部受け部の上面部７の全体あるいは一部が当接し、皮部３を裏面から支持している。上部受け部５と皮部３との間に保形部材１３が介在する場合も、保形部材１３の表面の全体あるいは一部が皮部３の裏面に当接し、皮部３を裏面から支持している。上部受け部の上面部７（保形部材１３を備える場合を含む）による支持により、上部受け部５に対応して皮部３の被覆形態あるいは被覆状態が規制される。すなわち上部受け部５の高さ、大きさ、形状等のより被覆された皮部３の全体的な高さ、大きさ、形状、湾曲状態などが決定される。従って上面部７を含む上部受け部５の高さ、大きさ、形状等の形態を選択し、皮部表面の細毛２０の集合体からなる飾り部２６の形態を規制し、調整することができる。上部受け部５には上面部７に沿って形成された細毛の集合体、つまり円球、半円球など均整の取れた湾曲状面を有する飾り部２６が構成される。上部受け部５に支持された飾り部２６は一定の形状に保持され、型崩れの防止にも有効である。【００１６】飾り部２６を備える基体部２は対象物１７に取り付けられる。例えば、被服、履物などの対象物の穴部１９に突出部６を挿通する一方、対象物１７の裏側において、突出部の下端３０を下部受け部３１の受容部３２内に置くとともに、下部受け部３１を突出部６に対して押圧し、突出部の下端３０を受容部３２内でかしめ、突出部６と下部受け部３１を連結する（図１、２、３参照）。また突出部６の下端周面の螺刻部３３にナット３７を螺着し、突出部６にナット３７を連結してもよい（図４乃至７参照）。基体部２を対象物１７に固着する手段は問わない。基体部２は突出部６を介して対象物１７に固着されるから、細毛の集合体からなる飾り部２６はその全体形状が乱れることもなく容易に取り付けられる。【００１７】次にボタン等の装身具１の製造方法について説明する。なお前述のボタン等の装身具１に示される部材と同じ部材についてはその構造、機能などの説明を省略する。ボタン等の装身具１の製造方法は次の工程により構成される。ボタン等の装身具１は表面に細毛２０の密生する皮部３と基体部２を備え、基体部２は上部受け部５の裏面から延びる突出部６を有し、突出部６の最大径は上部受け部５の径より小さい。毛皮３を一定の大きさに裁断する工程である。この工程では毛皮３を裁断機などで一定の大きさ、形状に裁断し、矩形あるいは円形などの皮部３とする。皮部３の表面には多数の細毛２０が密生している。【００１８】次に糸などの線条部材２１を縫通して皮部３に囲繞部２２を形成する工程である。この工程では裁断された皮部３に糸２１を周回状に「ぐし縫い」して矩形、円形などの囲繞部２２を形成する。囲繞部２２は皮部３の周縁に沿って形成するのが好ましいが、適宜に選択できる。囲繞部２２の大きさは上部受け部の上面部７より大きくする（図１０参照）。「ぐし縫い」された囲繞部２２の線条部材２１は一端側２１ｄあるいは両端側２１ａ、２１ｂが皮部３の外側へと延びている（図１３、１４、１６、１７参照）。【００１９】次に上部受け部５を皮部３における囲繞部２２の内側に配置する工程である。囲繞部２２の大きさは上部受け部の上面部７より大きく、囲繞部２２の内側に配置する。すなわち、例えば、上方に向けた上部受け部５に対して皮部３の裏面を下方に向けた状態で囲繞部２２の内側に上部受け部の上面部７を配置する（図１６、１７参照、なお図１６における矢標は上部受け部５の移動方向を示す）。しかしこの場合、上部受け部５と皮部３との配置方向は任意とする。【００２０】次に線条部材２１を緊締して皮部３で上部受け部５を覆う工程である。この工程では縫通（ぐし縫い）された線状部材（糸）の両端側２１ａ、２１ｂを互いに引き寄せて緊締するとともに皮部３で上部受け部５を覆う。あるいは線条部材（糸）の一端側に線条部材より太い「こぶ」２１ｃを作る一方、この「こぶ」２１ｃを基点として線条部材（糸）の他端側２１ｄを引くようにして線条部材２１を緊締する。そして線状部材（糸）の両端側２１ａ、２１ｂあるいは線条部材（糸）の他端側２１ｄは上部受け部５の裏面側、例えば、図１０における水平方向の上部受け部５に対して下方側に向けて引くと、上部受け部５が皮部３で容易に被覆される。【００２１】次に線状部材２１の緊締により囲繞部２２を絞り込み、囲繞部２２を上部受けの部５の裏面側へ導く工程である。この工程では線状部材（糸）２１の緊締により囲繞部２２を絞り込み、さらに囲繞部２２を上部受け部５の裏面側へ導く。上部受け部５（あるいは保形部材１３を配設した上部受け部５は上面部７が周縁に向かう下方への傾斜面１１、湾曲面１１、または周縁部が反転面１２を有するから、囲繞部２２の絞り込みにより皮部３が傾斜面１１、湾曲面１１あるいは反転面１２に沿って摺動あるいは反転する。これにより皮部３の上部受け部５に対する裏面側への折り返しあるいは移動をスムーズに行うことができる。【００２２】次に囲繞部２２の絞込みにより細毛の集合体からなる湾曲状面を有する飾り部２６を上部受け部の上面側に形成する工程である。この工程では、囲繞部２２の絞込みにより、上面部７の全部又は一部に当接する皮部３が上部受け部５の形態に対応するとともに上部受け部５を覆い、上部受け部５の上面側に細毛の集合体からなる飾り部２６が形成される。形成された飾り部２６はほぼ円球、半円球などの湾曲状面を有する。上面部７の表面形態を含む上部受け部５の形態（大きさ、形状、高さ）に応じて、所望の飾り部２６が形成される。例えば、上部受け部５が全体的に大きく凸状に隆起する場合、上部受け部５の上面側に大きい球状あるいは半球状な飾り部２６が形成され、飾り部２６は自然な湾曲面を有する（図４参照）。なお上部受け部５と皮部３との間に保形部材１３を配設してもよい。【００２３】そして上部受け部５（保形部材１３を配設した上部受け部５を含む）が適宜な柔軟性、弾性を備える場合、皮部３は上部受け部５と密着状態を保持する。柔軟性を付与するには、例えば、上部受け部の上面部７（上部受け部５に配設される保形部材１３）を軟質合成樹脂で形成する。上部受け部５に適宜な柔軟性を付与し、皮部３と上部受け部５が密着状態で当接することにより皮部３と上部受け部５との間に不要な間隙が生じない。また飾り部２６の形成時に全体形状の微妙な調整が可能となり、飾り部２６の型崩れを防止する上でも有効である。【００２４】線状部材２１の固定により絞り込まれた囲繞部２２を突出部６に保持する工程である。この工程では線状部材（糸）２１を固定するとともに囲繞部２２を突出部６に保持する。囲繞部２２を絞り込んだ線条部材２１は緊締状態のまま固定される。固定の方法としては、例えば、縫通された線状部材の両端側２１ａ、２１ｂを互いに引き寄せて緊締し、線条部材の両端側に結び目を作って連結する。【００２５】さらに突出部の下端部３０を下部受け部３１に挿入するとともに、押圧により突出部の下端部３０を下部受け部の受容部３２内でかしめて固定する工程がある。この工程では、被覆など対象物１７の穴部１９に対して、突出部６を対象物１７の表側から裏側へと挿通する一方、対象物１７の裏側において突出部の下端部３０を下部受け部の受容部３２内に置く。そして突出部６に対して下部受け部３２を押圧し、突出部の下端部３０を受容部３２内でかしめ、突出部６と下部受け部３２を連結する。これにより飾り部２６を有する基体部２が被服、履物などの対象物１７の所定箇所に固着され、ボタンなどの装身具１が取り付けられる。
【図面の簡単な説明】
【００２６】
【図１】本発明に係る飾りボタン等の装身具を対象物に取り付けた状態を示す説明的な断面図である。
【図２】本発明に係る飾りボタン等の装身具（但しその１部を分離した状態）の説明的な断面図である。
【図３】他の構造の装身具（但しその１部を分離した状態）の説明的な断面図である。
【図４】さらに他の構造の装身具（但しその１部を分離した状態）の説明的な断面図である。
【図５】装身具の構成要素である基体部と受け部の説明的な部分断面図である。
【図６】装身具の構成要素である他の構造の基体部と受け部の説明的な部分断面図である。
【図７】装身具の構成要素であるさらに他の構造の基体部と受け部の説明的な部分断面図である。
【図８】装身具の構成要素である別の構造の基体部と受け部の説明的な部分断面図である。
【図９】装身具の構成要素であるさらに別の構造の基体部と受け部の説明的な部分断面図である。
【図１０】装身具の構成要素である皮部（但し細毛を省略）と基体部との当接状態を示す説明的な拡大正面図である。
【図１１】図６、７に示される基体部の説明的な底面図である。
【図１２】他の構造の基体部の説明的な底面図である。
【図１３】皮部の説明的な縮小裏面図である。
【図１４】他の皮部の説明的な縮小裏面図である。
【図１５】基体部の突出部に絞り込まれた皮部が保持、固定された状態を示す説明的な底面図である。
【図１６】基体部と皮部との分離状態を示す説明的な正面図である。
【図１７】基体部の上部受け部と皮部との当接状態を示す説明的な正面図である。
【符号】
【００２７】  １  飾りボタン
２  基体部
３  皮部
５  上部受け部
６  突出部
１３  保形部材
１７  対象物
１９  穴部
２０  細毛
２１  線条部材
２２  囲繞部
２６  飾り部
３１  下部受け部
３２  受容部
【図１】
2006192230.tif 000003
【図２】
2006192230.tif 000004
【図３】
2006192230.tif 000005
【図４】
2006192230.tif 000006
【図５】
2006192230.tif 000007
【図６】
2006192230.tif 000008
【図７】
2006192230.tif 000009
【図８】
2006192230.tif 000010
【図９】
2006192230.tif 000011
【図１０】
2006192230.tif 000012
【図１１】
2006192230.tif 000013
【図１２】
2006192230.tif 000014
【図１３】
2006192230.tif 000015
【図１４】
2006192230.tif 000016
【図１５】
2006192230.tif 000017
【図１６】
2006192230.tif 000018
【図１７】
2006192230.tif 000019